(57)【要約】【課題】粘着テープの繰出方向に沿って均一な幅で折返し、剥がししろを形成可能なテープディスペンサーの提供を課題とする。【解決手段】ディスペンサー１は、ディスペンサー基部７と、テープロール２を繰出すテープ繰出部８と、粘着テープ６を所望の長さにカットするための切断刃９を有するテープ切断部１０と、粘着テープ６の側端部４を均一な幅でテープ繰出方向に沿って折返すためのテープ折返部３とを主に具備する。テープ折返部３は、ディスペンサー基部７にそれぞれ回動可能に並設して軸支される第一曲折部２９及び第二曲折部３１を有し、第一曲折部２９及び第二曲折部３１の間の経路で粘着テープ６を折返し、折部５を形成している。【選択図】図２
2009096591.tif 000002
【特許請求の範囲】
【請求項１】
ディスペンサー基部、前記ディスペンサー基部に取設され、片面に粘着層が形成された粘着テープをロール状に巻装してなるテープロールを回転可能に支持するとともに、前記粘着テープを繰出すテープ繰出部、前記ディスペンサー基部に取設され、繰出された前記粘着テープを所望の長さにカットするテープ切断部、及び、前記テープ繰出部及び前記テープ切断部の間に介設され、繰出された前記粘着テープの側端部を繰出方向に沿って前記粘着層側に折返すテープ折返部を具備するテープディスペンサーであって、
前記テープ折返部は、
前記ディスペンサー基部の基部表面から略直交方向に突設され、前記粘着テープの前記側端部が変位部端部から突出するように前記粘着層側の一部と当接し、前記粘着テープの繰出方向を曲折して変位させる略円柱棒状の第一曲折部と、
前記基部表面から略直交方向に突設され、前記第一曲折部によって繰出方向が変位した前記粘着テープの非粘着面と当接し、前記粘着テープの繰出方向を曲折し、前記テープ切断部まで導出するように変位させる略円柱棒状の第二曲折部と
を具備することを特徴とするテープディスペンサー。
【請求項２】
前記第一曲折部及び前記第二曲折部の少なくともいずれか一方は、
前記ディスペンサー基部に対して回動自在に軸支され、前記粘着テープの繰出操作に協働して軸回転運動することを特徴とする請求項１に記載のテープディスペンサー。
【請求項３】
前記第一曲折部は、
略円柱棒状の棒表面に凹凸部を有することを特徴とする請求項１に記載のテープディスペンサー。
【発明の詳細な説明】
【技術分野】
【０００１】
本発明は、テープディスペンサーに関するものであり、特に、テープロールから繰出された粘着テープの側端部を繰出方向に沿って折返し、剥がししろとなる非粘着部を形成可能なテープディスペンサーに関するものである。
【背景技術】
【０００２】
従来から、物品等を固定するための固定具の一種として、種々の粘着テープ類（ガムテープ、セロハンテープ、ビニールテープ等）が業務用或いは家庭用の用途に利用されている。これらの粘着テープ類は、ベースとなる基材（例えば、「紙」、「布」、「フィルム」等）の一方の面に粘着性物質を塗布し、粘着層を形成するとともに、他方の面には粘着性物質を塗布しないことにより、非粘着層を設けてなるものが一般的な構成である。
【０００３】
そして、物品等を互いに貼合わせ、固定する場合には、上記の粘着層側を互いの物品に架け渡すようにして押しつけ、粘着層を密着させることにより、粘着層の粘着性物質の作用によって互いの物品を固定することを可能とするものである。なお、この粘着テープは、非粘着層に剥離剤（離型剤）を塗布し、ロール状に巻装したテープロール（ロール体）の態様で市場に流通することが多い。これにより、使用時以外には、ロール状のテープロールによって粘着層が外部に露出することがなく、ゴミ等の付着を防ぐことができる。また、使用時には、必要な長さだけ、テープロールから粘着テープを引出す（繰出す）動作を行い、これをカットすることによって使用している。
【０００４】
このとき、ロール状に巻装されたテープロールは、従来から周知のテープカッター、テープ繰出装置、或いはテープディスペンサーと呼称される装置に装着され、使用されることが多い。
【０００５】
上記に示したように、粘着テープ類の使用は、種々の産業分野及び一般家庭等において周知に行われ、その用途等も非常に多岐に亘るものである。例えば、所謂「バッグシーラー」と呼ばれるテープ繰出装置を利用し、包装用の袋（包装袋）の袋口を粘着テープで巻回し、包装袋内に収容された物品が当該袋口から外部に飛び出すことがないように固定すること行われている。
【０００６】
上記の固定方法は、非常に簡易なものであり、かつバッグシーラー等の装置も比較的簡易な構造で形成されるため、ショッピングセンターの食料品売場等の店頭で特に使用されることが多い。これらの具体的用途について詳述すると、スーパーマーケット等の小売店舗において、産地から段ボールに収容されて集荷された青果物（例えば、「キュウリ」等）を、消費者が購入しやすい単位にそれぞれ透明ビニール製のビニール袋に小分けして収容し、該包装袋の袋口を上述の粘着テープで巻回するものが挙げられる。これらの作業は、例えば、菓子・パン類等のその他の食品類の袋詰め作業においても同様に行われている。
【０００７】
このような場合、包装袋の袋口を小さくし、その周りを粘着テープで巻回し、最終的に粘着テープの粘着層同士を密着させて押着けることが行われている。その後、テープロールと繋がっている粘着テープの余分な部分をカットすることにより、包装袋の袋口の封印作業が完了する。
【０００８】
しかしながら、粘着テープの粘着層同士を密着させ、貼合わせた場合、包装袋から収容した物品を取出す際の開封作業が困難となることがあった。すなわち、互いの粘着層同士がぴったり貼合わされた場合、指先（或いは爪）等で粘着面同士を互いに離間するように引き剥がす作業が必要となった。そのため、手や指先の力の弱い高齢者や子供等は、該作業を容易に行うことができず、最終的には、ビニール製の包装袋自体を引きちぎって、物品を取り出すことがあった。
【０００９】
或いは、段ボール等の一対の蓋を広幅の粘着テープで互いに架渡すようにして固定し、段ボールの内部に商品を収容して梱包する場合、梱包後に再び商品を段ボールから取出す作業が困難となることがあった。すなわち、上記と同様に粘着テープが段ボールの表面に密着し、その間に指先や爪等を挿入することができず、粘着テープの除去作業ができないことがあった。
【００１０】
そこで、袋口に巻回する粘着テープ或いは梱包用の粘着テープに貼着時に、予め剥がししろとなる部分を設け、上記作業を楽に行うことを可能とするテープ繰り出し装置が既に開発されている（例えば、特許文献１参照）。これにより、テープロールから粘着テープを繰出すと同時に剥がししろが形成され、そのまま包装袋の袋口を閉じることが可能となり、かつ剥がししろを持つことにより、粘着テープによる封印を容易に解除することが可能となる。
【００１１】
【特許文献１】国際公開２００６／０１３６７４号公報
【発明の開示】
【発明が解決しようとする課題】
【００１２】
しかしながら、上記特許文献に開示に開示されたテープ繰り出し装置の場合、側端部を長手方向に沿って折り返すためのテープ折り返し手段の構成が複雑であった。すなわち、このテープ折り返し手段は、略円柱状の胴部と、略円盤状の頭部とからなり、頭部で粘着テープの幅を規制して側端部を粘着面側に起立させ、胴部で側端部を粘着面側に倒伏させるものであり、頭部の胴部対向面の中央にすり鉢状に陥没した陥没部が形成されているものである。すなわち、このすり鉢状の陥没部を利用して粘着テープを折り返すことを行っている。
【００１３】
そのため、この胴部、頭部、及び陥没部を備える複雑な形状のテープ折り返し手段を必要とするため、テープ繰り出し装置自体のコストが高くなる可能性が高かった。また、構造が複雑なために、故障或いはテープ繰り出し装置の調整に時間がかかる可能性が高かった。そのため、比較的簡易な構造でかつ、使用時及び使用後の調整及びメンテナンスの不要なテープ繰り出し装置（テープディスペンサー）を期待する声が大きかった。
【００１４】
そこで、本発明は、上記実情に鑑み、粘着テープの繰出方向に沿って均一な幅で折返し、剥がししろを形成可能なテープディスペンサーの提供を課題とするものである。
【課題を解決するための手段】
【００１５】
上記の課題を解決するため、本発明のテープディスペンサーは、「ディスペンサー基部、前記ディスペンサー基部に取設され、片面に粘着層が形成された粘着テープをロール状に巻装してなるテープロールを回転可能に支持するとともに、前記粘着テープを繰出すテープ繰出部、前記ディスペンサー基部に取設され、繰出された前記粘着テープを所望の長さにカットするテープ切断部、及び、前記テープ繰出部及び前記テープ切断部の間に介設され、繰出された前記粘着テープの側端部を繰出方向に沿って前記粘着層側に折返すテープ折返部を具備するテープディスペンサーであって、前記テープ折返部は、前記ディスペンサー基部の基部表面から略直交方向に突設され、前記粘着テープの前記側端部が変位部端部から突出するように前記粘着層側の一部と当接し、前記粘着テープの繰出方向を曲折して変位させる略円柱棒状の第一曲折部と、前記基部表面から略直交方向に突設され、前記第一曲折部によって繰出方向が変位した前記粘着テープの非粘着面と当接し、前記粘着テープの繰出方向を曲折し、前記テープ切断部まで導出するように変位させる略円柱棒状の第二曲折部と」を具備するものであっても構わない。
【００１６】
ここで、本発明のテープディスペンサーは、例えば、机上に載置し、粘着テープを所望の長さだけ引き出すことにより使用するデスクタイプのもの、或いは上述した小売店等において使用され、手に持って使用するハンドタイプのもののいずれであっても構わない。このとき、ディスペンサー基部は、デスクタイプの場合、一般的にテープロールを挟んで一対の構成を有するものが一般的であり、一方、ハンドタイプの場合、把持部と連結し、テープロールの一方の面側にのみ係る構成を有するものが例示される。
【００１７】
ここで、テープ繰出部は、テープロールのロール芯の内径側に挿入される略円盤状のロール支持部と、ロール支持部の中心から少なくとも一方向に突出して形成されたロール支持軸とを具備している。そして、係るロール支持軸がディスペンサー基部に対して回動可能に軸支されている。これにより、ロール支持部に装着されたテープロールは、ロール支持軸を中心として回転円運動を行うことができる。このとき、テープロールの一端、すなわち、粘着テープの端部を把持し、一方向に引っ張ることにより、巻装された粘着テープは、テープロールの回転に応じて徐々に繰り出されることとなる。
【００１８】
また、テープ切断部は、従来から周知の構成を採用することが可能であり、例えば、粘着テープの繰出方向に対して直交する方向に複数の山型刃を有する切断刃を配し、引き出した粘着テープを当該山型刃に当接させることにより、剪断するものが例示される。
【００１９】
また、テープ折返部の第一曲折部及び第二曲折部は、例えば、樹脂等の素材から形成されるものであり、略円柱棒状に形成されている。ここで、第一曲折部及び第二曲折部の配置は、例えば、テープ繰出部及びテープ切断部の間に縦方向に一列に並設されるものであってもよい。さらに、これらの略円柱棒状の曲折部の径は、特に限定されるものではないが、例えば、第一曲折部に対して第二曲折部の方が大きくなるように設定されるものであっても構わない。
【００２０】
したがって、本発明のテープディスペンサーによれば、テープ繰出部から繰出された粘着テープは、略円柱棒状の第一曲折部の棒表面と粘着層側とが接するように当接する。このとき、第一曲折部は、粘着テープのテープ幅方向の全面に当接することなく、僅かに短く設定されている。そのため、粘着テープの側端部の一部は、第一曲折部と当接することがない。この状態で繰出方向を変位させるように曲折させる、さらに具体的に言及すれば、テープ繰出部のローラ支持軸側に向かって傾斜するような角度で曲折させることにより、粘着テープの側端部は、粘着層側に向かって折畳まれることとなる。その結果、繰出方向に沿って均一の折返幅を保持した状態で折返されることとなる。そして、係る状態で第二曲折部まで導かれる。
【００２１】
一方、第二曲折部では、第一曲折部によって曲折された粘着テープの非粘着層側と略円柱棒状の棒表面とが当接し、テープ繰出部とは逆方向に位置するテープ切断部に向かって曲折することとなる。すなわち、本発明のテープディスペンサーの第一曲折部及び第二曲折部によって、“Ｚ字形状”或いは“逆Ｚ字形状”の経路で粘着テープが繰出されることとなる。
【００２２】
さらに、本発明のテープディスペンサーは、上記構成に加え、「前記第一曲折部及び前記第二曲折部の少なくともいずれか一方は、前記ディスペンサー基部に対して回動自在に軸支され、前記粘着テープの繰出操作に協働して軸回転運動する」ものであっても構わない。
【００２３】
したがって、本発明のテープディスペンサーによれば、略円柱棒状で形成された第一曲折部及び第二曲折部の少なくともいずれか一方が、ディスペンサー基部に対して回動自在に軸支されている。これにより、粘着テープの繰出操作に協働するようにして、係る曲折部も一緒に軸回転運動をすることとなる。ここで、粘着テープの繰出操作を行う場合、粘着テープとこれと当接する各曲折部の棒表面との間の摩擦係数が大きいと、粘着テープに無理な力がかかり、テープ自体を伸張させたり、或いは側端部の折返し時において、シワが発生したり、折返幅が均一にならない等の不具合を生じることがある。そこで、曲折部を回動自在に形成することにより、上述した摩擦係数を最小限に抑えることが可能となる。その結果、粘着テープ等に無理な力が加わることがなく、シワ等の発生を抑え、均一の幅の剥がししろとなるテープ折返部を構築することが可能となる。
【００２４】
さらに、本発明のテープディスペンサーは、上記構成に加え、「前記第一曲折部は、略円柱棒状の棒表面に凹凸部を有する」ものであっても構わない。
【００２５】
したがって、本発明のテープディスペンサーによれば、粘着層と接触する第一曲折部の棒表面に凹凸部が形成されている。ここで、凹凸部は、例えば、棒表面に複数の溝部を設けたもの、或いは、棒表面全体に網目状の凹凸を複数設けたものなどを想定することができる。これにより、粘着テープの粘着層と第一曲折部との間の接触面積を最小に抑えることが可能となり、第一曲折部の棒表面に粘着層の粘着剤が転移し、粘着テープの繰出操作が滑らかに行えないような不具合を回避することができる。
【発明の効果】
【００２６】
本発明の効果として、上記のテープディスペンサーによれば、繰出された粘着テープの繰出方向に沿って側端部を粘着層側に均一に折返すことが可能となり、粘着テープを貼着した後の剥離作業を容易にすることができる。また、テープ折返部が第一曲折部及び第二曲折部の二つの簡易な構成で形成することが可能であり、故障等の発生がすくなく、実際の作業においてメンテナンス等の必要がほとんどない。
【発明を実施するための最良の形態】
【００２７】
以下、本発明の一実施形態であるテープディスペンサー１（以下、単に「ディスペンサー１」と称す）について、図１乃至図６に基づいて説明する。ここで、図１は本実施形態のディスペンサー１の構成の一例を示す正面図であり、図２はテープロール２を装着したディスペンサー１の構成の一例を示す正面図であり、図３はテープ折返部３の構成を示す拡大正面図であり、図４はテープ折返部３の構成を左側方から見た拡大左側面図であり、図５は側端部４が折返された折部５を有する粘着テープ６の構成を示す断面図であり、図６は側端部４が折返された折部５を有する粘着テープ６の構成を示す底面図である。なお、本実施形態のディスペンサー１は、スーパーマーケット等の小売店において販売員が手に持ち、野菜等の商品をビニール袋に収容し、当該ビニール袋の袋口を粘着テープ６で巻回して袋口を閉じる包装作業を行うことが可能なハンドタイプのディスペンサー１について例示するものとする。ここで、収容される商品は野菜等の食品に限定されるものではなく、その他の物品であってももちろん構わない。
【００２８】
本実施形態のディスペンサー１は、図１乃至図６に示すように、ディスペンサー基部７と、ディスペンサー基部７に取設され、粘着テープ６を回転可能に支持し、テープロール２を繰出すテープ繰出部８と、テープ繰出部８に対向する側面側のディスペンサー基部７に取設され、粘着テープ６を所望の長さにカットするための切断刃９を有するテープ切断部１０と、テープ繰出部８及びテープ切断部１０の間に介設され、粘着テープ６の側端部４を均一な幅でテープ繰出方向（図２における矢印Ａ方向参照）に沿って折返すためのテープ折返部３と、切断後の粘着テープ６の一端をテープ切断部１０の近傍に保持するためのテープ保持部１１と、ディスペンサー基部７に取設され、上記のような販売員等の作業者が手で把持して作業しやすいようにするための把持部１２とを具備して主に構成されている。
【００２９】
さらに詳細に説明すると、ディスペンサー基部７は、図１等に示すように、平板状の金属製部材を略矩形状に切断加工して形成されたものであり、矩形状の一角（図１等において右上角）が斜め上方に向かって突き出した突片１３が形成されている。このディスペンサー基部７は、後述するテープ繰出部８等の本実施形態のディスペンサー１のその他構成を確実に支持し、かつ粘着テープ６の貼着作業時において容易に変形することのないように強固な素材で形成されている。
【００３０】
一方、テープ繰出部８は、図１及び図２等に示すように、ディスペンサー基部７の突辺１３の基部表面１４から直交するように取設された繰出部支持軸１５と、該繰出部支持軸１５に回転可能に軸支される略Ｙ字形状のロール支持枠部１６とを具備して主に構成されている。ここで、ロール支持枠部１６は、繰出部支持軸１５との取設位置を回転軸心Ｃとし、該回転軸心Ｃから１２０°の等間隔で三方向に突出した３つの支持体１７が連結し、前述した略Ｙ字形状、換言すれば、各辺部が回転軸心Ｃ側に凹んだ略三角形状を呈して構成されているものである。そして、回転軸心Ｃから支持体１７の最外部１８までの距離が、装着するテープロール２の内半径と略一致するように形成されている。
【００３１】
ここで、テープロール２は、一面に粘着剤成分の塗布された粘着層１９を有する貼着テープ４を紙製の巻芯２０に巻装してなるものである。そのため、テープロール２の巻芯２０をテープ繰出部８のロール支持枠部１６の支持体１７に合わせて嵌装することにより、確実にテープロール２が装着されることとなる。さらに、係るロール支持枠部１６が繰出部支持軸１５に回転可能に軸支されているため、ロール支持枠部１６の回転に協働するようにテープロール２自体もディスペンサー基部７に対して回転自在となる。
【００３２】
さらに、支持体１７の最外部１８には、装着されるテープロール２の巻芯方向に向かって弾性部材（例えば、バネ等）で付勢されたロール係止爪２１がそれぞれ三カ所に設けられている。このロール係止爪２１は、回転軸心Ｃ側に向かって力を加えることにより、押下げ可能であり、係る力を解除することにより、再び元の位置に戻ることのできる構成を有している。この構成を採用することにより、テープロール２のロール支持枠部１６への装着時には、ロール係止爪２１を回転軸心Ｃの方向に押下げながら、巻芯２０の内面が支持体１７の最外部１８に当接するように嵌装し、装着する。このとき、装着完了後のロール支持枠部１６は、ロール係止爪２１が常にテープロール２の巻芯２０を回転軸心Ｃから離間する方向に押付ける力が作用している。その結果、テープロール２のロール支持枠部１６の装着状態が強固となり、通常の作業時に係る装着状態が解除されるような不具合を生ずることがない。
【００３３】
一方、テープ切断部１０は、粘着テープ６の繰出方向に直交する方向に沿って配された複数の山型形状の山刃（図示しない）を有してなる切断刃９を備え、該切断刃９がその一部を外側に突出するようにしてディスペンサー基部７に取設された刃支持部２３に保持されている。さらに、刃支持部２３の下方には、切断後の粘着テープ６の一端をテープ切断部１０の切断刃９の近傍に保持するためのテープ保持部１１の一部としての円柱形状のゴムローラ２４が設けられている。さらに、テープ切断部１０は、ゴムローラ２４以外の他の構成として、ゴムローラ２４のローラ面２４ａに対向するようにし、該ローラ面２４ａと挟片端２５との間を粘着テープ６が通過する挟片部２６とを具備している。係る挟片部２６は、ディスペンサー基部７に軸支され、さらにバネ部２７によって、挟片端２５がローラ面２４ａに近接するように付製するように構成されている。これにより、後述するテープ折返部３から曲折して導出された粘着テープ６をゴムローラ２４のローラ面２４ａに沿って、その上方に位置するテープ切断部１０の切断刃９まで導くことができる。なお、切断刃９の上方には、刃支持部２３から上方向（図１及び図２等の紙面上方向に相当）に突出したプラスチック製の平板状のガイド部材２８が取付けられている。
【００３４】
さらに、テープ折返部３は、テープ繰出部８から繰出された粘着テープ６の粘着層１９側と側端部４の部分だけ当接しないように、粘着テープ６のテープ幅に対して短く形成され、基部表面１４から略直交方向に突出した略円柱棒状の第一曲折部２９と、基部表面１４から略直交方向に突出し、粘着テープ６の非粘着面３０と当接し、上述したテープ切断部１０まで粘着テープ６を導出する略円柱棒状の第二曲折部３１とを具備している。ここで、第一曲折部２９及び第二曲折部３１のいずれもが、ディスペンサー基部７に対して回動自在に軸支されている。その結果、それぞれに粘着テープ６の粘着層１９側或いは非粘着面３０と当接すると、各曲折部２９，３１は粘着テープ６との摩擦力によって、繰出操作に応じて協働して回転することとなる。その結果、テープ繰出部８、各曲折部２９，３１、及びテープ切断部１０の間で粘着テープ６に無理な力が加わることがない。これにより、粘着テープ６が繰出操作中に伸張することがなく、粘着テープ６の側端部４を折返す際にシワ等の不具合を生じることがない。さらに、均一の幅の折部５を繰出方向に沿って形成することができる。
【００３５】
また、テープ折返部３は、図３等に示すように、互いに略円柱棒状に形成された曲折部２９，３１の棒径が異なるように設定されている。具体的に説明すると、第一曲折部２９の棒径は、第二曲折部３０の棒径に対して小さく設定されている。さらに、各曲折部２９，３１は、テープ繰出部８及びテープ切断部１１の間にほとんど縦方向に並ぶようにして取付けられている。さらに、その他の構成として、第一曲折部２９の第一棒表面３２は、複数の縦溝部３３が第一曲折部２９の棒軸方向に沿って設けられている（図４等参照）。ここで、縦溝部３３が本発明の凹凸部に相当する。この縦溝部３３の構成を採用することにより、粘着テープ６の粘着層１９と当接する第一曲折部２９の第一棒表面３２に粘着層１９の粘着剤成分が付着する可能性を抑えることができる。その結果、長期間に亘る本実施形態のディスペンサー１の使用であっても、頻繁に第一曲折部２９等のテープ折返部３を清掃する等のメンテナンス作業を頻繁に行う必要がなく、操作性及びメンテナンス性を向上させることができる。
【００３６】
そして、上記構成及びレイアウトを採用することにより、テープ繰出部８から繰出された粘着テープ６は、最初に第一曲折部２９の第一棒表面３２に粘着層１９側が当接し、その後、第二曲折部３１に向かって曲折される。このとき、第一曲折部２９及び第二曲折部３１がほぼ縦方向に並設されているため、曲折された粘着テープ６は、テープ繰出部８の繰出部支持軸１５側に比較的鋭角に曲折されることとなる。なお、前述したように、第一曲折部２９は、ディスペンサー基部７に対して軸回転可能に軸支されているため、上記の粘着テープ６の曲折及び繰出に協働するように、第一曲折部２９も回転する（図２における矢印Ｂ参照）。本実施形態のディスペンサー１では、図２において反時計回りに第一曲折部２９が回転することとなる。その後、第二曲折部３１に到達した粘着テープ６は非粘着面３０が第二棒表面３４と接することとなる。第二棒表面３４は、粘着層１９側と当接することがないため、第一曲折部２９のように縦溝部３３が設けられていない。
【００３７】
そして、再び、テープ切断部１０（或いは、テープ保持部１１）に向かう方向に第二曲折部３１の棒表面３４に沿うようにして曲折される。これにより、粘着テープ６はテープ折返部３において、略逆Ｚ字形状（或いは、略Ｓ字形状）の経路を通ってテープ切断部１０まで繰出されることとなる。なお、第二曲折部３１も同様にディスペンサー基部７に対して回転可能に軸支されているため、粘着テープ６の曲折及び繰出に協働し、第二曲折部３１も回転する（図２における矢印Ｃ参照）。本実施形態のディスペンサー１では、図２において時計回りに第二曲折部３１が回転することとなる。
【００３８】
このとき、図４等に示すように、第一曲折部２９では、粘着テープ６のテープ幅方向に亘って全体が第一棒表面３２と接するものではなく、粘着テープ６の一方の側端部４は係る第一曲折部２９と非当接の状態にある。すなわち、側方から観察すると、ディスペンサー基部７から突設された第一曲折部２９の棒端部３５に対し、粘着テープ６の側端部４が飛び出した状態で当接している。その状態で、下方に設置された第二曲折部３１に向かって鋭角に曲折されることにより、該側端部４は、互いの粘着層１９同士を重ねるようにして、第一曲折部２９及び第二曲折部３１の間の経路で折返されることとなる。そして、第二曲折部３１に到達すると、ほぼ完全に均一の幅の折部５が形成されていることとなる。なお、第二曲折部３１の先端部は、中央部の軸径に対して拡径して形成されており、中央部に対して傾斜した傾斜面３６を有している。そのため、第二曲折部３１に到達して折返しが十分に完了していない場合でも、係る傾斜面３６に沿って折畳まれることにより、粘着テープ６の折返しが完全に行われるようになっている。
【００３９】
ここで、折返された折部５は、第二曲折部３１によって、テープ切断部１０側に向かって粘着テープ６が曲折されるため、第二曲折部３１の第二棒表面３４に沿って密着することとなり、粘着層１９同士の接着状態がより強固となる。
【００４０】
また、本実施形態のディスペンサー１は、ディスペンサー基部７に取設された把持部１２を具備している。この把持部１２は、ディスペンサー基部７の下端辺３７から斜め下方に向かって取付けられたグリップ部３８と、該グリップ部３８の表面に設けられたゴム製素材からなる凹凸状の滑止部３９とによって構成されている。なお、把持部１２の一辺側（図２における紙面左方側に相当）には、手で把持した際に握りやすいように手指の形状に合わせて加工された複数の山及び谷からなる指型４０が設けられている。
【００４１】
上記に説明したように、本実施形態のディスペンサー１は、二つの曲折部２９．３１からなるテープ折返部３によって、粘着テープ６の側端部４を繰出方向に沿って均一の幅で折り返した折部５を粘着テープ６の繰出操作に従って形成することができる。なお、この折部５をシワ等を生じることなく、確実に形成するためには、第一曲折部２９及び第二曲折部３１の間の距離が重要となり、係る距離が近すぎると十分な折返しができないために、シワ等が生じることとなる。さらに、第一曲折部２９による曲折方向も、テープロール２からの繰出方向に対して鋭角に曲折する必要があり、そのため、第二曲折部３１は、第一曲折部２９の下方位置に並設され、さらに第一曲折部２９よりも第二曲折部３１の方が大径のロール径によって形成されていることが好適である。
【００４２】
そして、係る第一曲折部２９及び第二曲折部３１は、ディスペンサー基部７に対して回転自在に取付けられていることにより、粘着テープ６の繰出操作において粘着テープ６に無理な力が加えられることがない。特に、テープ折返部３による側端部４の折返し時には、粘着テープ６に無理な力が加わることがあるため、第一曲折部２９及び第二曲折部３１の協働する回転によってこの力を分散することができる。その結果、シワ等のなく、均一の幅で安定した折部５を継続して形成することができる。
【００４３】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４４】
すなわち、本実施形態のディスペンサー１において、手で把持して作業をしやすいように形成したハンドタイプのテープディスペンサーについて例示したが、これに限定されるものではなく、机上に設置されるデスク型のテープディスペンサーに適用するものであってももちろん構わない。この場合、上述したディスペンサー基部７を一対使用し、テープ繰出部８等の各種構成を挟み込んで形成したものとすることができる。さらに、デスク型のテープディスペンサーの場合は、ハンドタイプの把持部１２の構成の代わりに、使用時に机上面を容易に滑ることがないように、おもり等の重量物を設ける必要がある。
【００４５】
さらに、本実施形態のディスペンサー１において、粘着テープ６の一方の側端部４のみを折返して折部５を形成するものを示したが、これに限定されるものではなく、粘着テープ６の両側端部をそれぞれ折返すものであっても構わない。この場合、第一曲折部２９は、粘着テープ６の略中央部分と当接するように形成し、両側端部ではロール径を縮径したものとすることができる。これにより、剥がししろとなる折部５が双方に形成され、より剥がしやすくする用途に適した使用をすることができる。
【図面の簡単な説明】
【００４６】
【図１】本実施形態のディスペンサーの構成の一例を示す正面図である。
【図２】テープロールを装着したディスペンサーの構成の一例を示す正面図である。
【図３】テープ折返部の構成を示す拡大正面図である。
【図４】テープ折返部の構成を左側方から見た拡大左側面図である。
【図５】側端部が折返された折返部を有する粘着テープの構成を示す断面図である。
【図６】側端部が折返された折返部を有する粘着テープの構成を示す底面図である。
【符号の説明】
【００４７】
１  ディスペンサー（テープディスペンサー）
２  テープロール
３  テープ折返部
４  側端部
５  折部
６  粘着テープ
７  ディスペンサー基部
８  テープ繰出部
９  切断刃
１０  テープ切断部
１１  テープ保持部
１２  把持部
１９  粘着層
２０  巻芯
２９  第一曲折部
３０  非粘着面
３１  第二曲折部
３３  縦溝部（凹凸部）
【図１】
2009096591.tif 000003
【図２】
2009096591.tif 000004
【図３】
2009096591.tif 000005
【図４】
2009096591.tif 000006
【図５】
2009096591.tif 000007
【図６】
2009096591.tif 000008